(57)【特許請求の範囲】
【請求項１】
試用対象となる少なくとも一つの機能を記憶している記憶部と、
上記機能の試用時期について利用者からの指示を受け付けるトライアル指示部と、
上記記憶部に記憶されている機能の試用時期を、上記トライアル指示部で受け付けた指示に沿って設定する制御部とを備え、
上記制御部は、上記トライアル指示部で受け付けた指示が示す上記機能が動作可能か否かを判別し、動作可能であると判断すると、上記指示された機能をトライアルモードに設定することを特徴とするトライアル管理システム。
【請求項２】
上記制御部は、トライアル対象の装置構成を認識し、この認識結果に基づいて上記トライアル指示部で受け付けた指示が示す上記機能が動作可能であるか否かを判別することを特徴とする請求項１に記載のトライアル管理システム。
【請求項３】
上記トライアル指示部が、上記利用者からの指示として、上記各機能に対応付けられているトライアルキーの入力を受け付けることを特徴とする請求項１または２に記載のトライアル管理システム。
【請求項４】
上記トライアルキーが、上記機能およびその機能の試用限度量のデータを含んでおり、
上記トライアルキーが上記トライアル指示部に入力されると、上記制御部が、上記トライアル指示部で受け付けたトライアルキーが示す試用限度量に応じて、上記トライアル指示部で受け付けたトライアルキーが示す機能の試用時期を設定することを特徴とする請求項３記載のトライアル管理システム。
【請求項５】
上記制御部が、上記機能の試用期間を変更することを特徴とする請求項１記載のトライアル管理システム。
【請求項６】
上記制御部が、上記トライアル指示部で受け付けた指示に沿って試用時期を設定された機能について、その機能の実行中にその機能の試用の終了時期が来たことを検知すると、その機能の実行完了時点までその機能の試用時期を延長することを特徴とする請求項５記載のトライアル管理システム。
【請求項７】
上記トライアル指示部が、上記利用者からの指示として、上記各機能の試用時期に対応付けられている特定キーの入力を受け付け、
上記制御部が、上記トライアル指示部が受け付けた特定キーが示す試用時期データに沿って、上記機能の試用時期を設定することを特徴とする請求項５記載のトライアル管理システム。
【請求項８】
試用対象となる少なくとも一つの機能を記憶している記憶部と、
上記機能の試用時期について利用者からの指示を受け付けるトライアル指示部と、
上記記憶部に記憶されている機能の試用時期を、上記トライアル指示部で受け付けた指示に沿って設定する制御部とを備え、
上記トライアル指示部は、上記利用者からの指示として、上記各機能の試用時期に対応付けられている特定キーの入力を受け付け、
上記制御部は、上記トライアル指示部が受け付けた特定キーが示す試用時期データに沿って、上記機能の試用時期を設定するようになっており、上記トライアル指示部が受け付けた特定キーが、試用時期を延長するデータであるかどうかを判断し、上記特定キーが、試用時期を延長するデータである場合は、上記トライアル指示部にて指示された機能の試用時期を延長する、
ことを特徴とするトライアル管理システム。
【請求項９】
上記制御部が、上記トライアル指示部が受け付けた特定キーが、正しいデータであるかどうかを判断し、誤った特定キーが所定回数入力されると、上記トライアル指示部にて指示された機能の試用時期を終了させることを特徴とする請求項７または８に記載のトライアル管理システム。
【請求項１０】
上記制御部が、上記トライアル指示部が受け付けた特定キーが、試用期間を終了して正規の利用状態へ移行する旨を指示する正規キーであるかどうかを判断し、上記トライアル指示部が受け付けた特定キーが正規キーであれば、上記トライアル指示部にて指示された機能について試用期間を終了して正規の利用状態へ移行させることを特徴とする請求項７ないし９のいずれかに記載のトライアル管理システム。
【請求項１１】
試用対象となる少なくとも一つの機能を記憶している記憶部と、
上記機能の試用時期について利用者からの指示を受け付けるトライアル指示部と、
上記記憶部に記憶されている機能の試用時期を、上記トライアル指示部で受け付けた指示に沿って設定する制御部とを備え、
上記制御部は、上記機能の試用期間を変更するようになっており、上記トライアル指示部が受け付けた機能を実行するうえで必要な環境が揃っているかどうかを判断し、上記トライアル指示部が受け付けた機能を実行するうえで必要な環境が揃っていなければ、上記トライアル指示部にて指示された機能について試用期間を終了させる、
ことを特徴とするトライアル管理システム。
【請求項１２】
コンピュータを請求項１ないし１１のいずれかに記載のトライアル管理システムにおける制御部として機能させることを特徴とするプログラム。
【請求項１３】
請求項１２記載のプログラムを記録したことを特徴とするコンピュータ読み取り可能な記録媒体。
【発明の詳細な説明】
【０００１】
【発明の属する技術分野】
本発明は、例えば複写機など、複数の機能プログラムを予め記憶している装置において、そのプログラムのトライアルを管理するトライアル管理システム、プログラムおよびプログラムを記録したコンピュータ読み取り可能な記録媒体に関するものである。
【０００２】
【従来の技術】
前記装置として、例えば複写機の場合、装置の出荷後に、利用者側の使用環境の変化や新たな機能の追加の要望などによって、たとえば原稿自動給送装置や排出コピー用紙の処理装置などを追加するというような機能拡張は、サービス会社や販売店などによって行われるようになっている。
【０００３】
そのような機能拡張にあたって、前記装置への機能部品の追加以外に、新たなプログラムの追加、書き換え、交換が必要な場合がある。この場合、従来では、保守点検業者（サービスマン）が、メモリやハードディスクに管理されているシステムプログラムをインストール作業によって新たなシステムプログラムに書き換えたり、システムプログラムが管理されているメモリやハードディスクを新たなシステムプログラムが管理されているメモリやハードディスクと交換したりして対応していた。
【０００４】
【発明が解決しようとする課題】
上記従来の技術では、機能拡張を行うにあたってインストール作業で対応する場合には、作業が煩雑で、また機器の構成を理解した専門的な技術を備えた人が行う必要があるという問題がある。
【０００５】
一方、基板やメモリなどの部品交換で対応する場合には、交換作業に前記専門的な技術が必要になるという問題がある。また、メーカ側では、当初の基本プログラムに、１または複数の追加プログラムを組み合わせた基板やメモリを各種取り揃えておく必要があり、部品コストが嵩み、かつ各組み合わせプログラム毎に動作検証作業が必要になるとともに、利用者側では、機能拡張後に不要部品が発生するという問題がある。さらにまた、不正な模造基板やメモリなどが使用され、メーカ側が適正な利益を得られなくなってしまうとともに、故障の原因になるという問題もある。
【０００６】
以上のように、従来では、機能拡張した新たなシステムへの移行作業には、コストおよび時間が必要となる。そのため、利用者に対して、機能拡張した新たなシステムの試用を提供することは困難であった。
【０００７】
本発明は、上記問題点に鑑みなされたものであり、その目的は、機能拡張した新たなシステムの試用を、利用者に対してより容易に、かつ、より柔軟に提供できるトライアル管理システム、プログラムおよびプログラムを記録したコンピュータ読み取り可能な記録媒体を提供することにある。
【０００８】
【課題を解決するための手段】
上記の課題を解決するため、本発明のトライアル管理システムは、試用対象となる少なくとも一つの機能を記憶している記憶部と、上記機能の試用時期について利用者からの指示を受け付けるトライアル指示部と、上記記憶部に記憶されている機能の試用時期を、上記トライアル指示部で受け付けた指示に沿って設定する制御部とを備えたことを特徴としている。
【０００９】
上記の構成により、試用対象となる拡張可能な機能は、あらかじめシステムの記憶部内に、ソフトウエア（プログラム）またはハードウエアとして記憶されている。その機能を試用したいと利用者が思った場合には、その旨をトライアル指示部を介してシステムに指示する。システム側では、その指示（試用開始、終了、期間延長などを含む）を受けると、その指示に合うように該当機能を適宜提供する。
【００１０】
したがって、機能を拡張しようとしたときに、インストール作業で対応するのと異なり、作業が簡単で、また機器の構成を理解した専門的な技術が不要となる。また、基板やメモリなどの部品交換で対応するのと異なり、交換作業に関する専門的な技術が不要となる。それゆえ、機能拡張した新たなシステムの試用を、利用者に対してより容易に、かつ、より柔軟に提供することができる。
【００１１】
また、本発明のトライアル管理システムは、上記の構成に加えて、上記トライアル指示部が、上記利用者からの指示として、上記各機能に対応付けられているトライアルキーの入力を受け付けることを特徴としている。
【００１２】
上記の構成により、上記機能の試用動作を指示するトライアルキーが入力されると、それに対応付けられている機能について制御される。
【００１３】
したがって、入力されたトライアルキーに対応する機能プログラムのみをトライアル可能な状態とする。それゆえ、上記の構成による効果に加えて、より簡単な操作で、利用者の要望にあった機能を試用することが可能となる。
【００１４】
また、本発明のトライアル管理システムは、上記の構成に加えて、上記制御部が、上記トライアル指示部で受け付けた指示が示す上記機能が動作可能か否かを判別し、動作可能な機能のみをトライアルモードに設定することを特徴としている。
【００１５】
上記の構成により、上記トライアル指示部が上記利用者からの指示を受けると、上記制御部が、その指示が示す機能が動作可能か否かを判別する。その判別結果に基づき、上記制御部が、動作可能な機能のみを、試用状態であるトライアルモードに設定する。
【００１６】
したがって、動作不可能な機能がトライアルモードに設定され、利用できないままトライアル期間が経過してしまうことを回避することができる。それゆえ、上記の構成による効果に加えて、動作可能な機能を確実に試用に供することができる。
【００１７】
また、本発明のトライアル管理システムは、上記の構成に加えて、上記トライアルキーが、上記機能およびその機能の試用限度量のデータを含んでおり、上記トライアルキーが上記トライアル指示部に入力されると、上記制御部が、上記トライアル指示部で受け付けたトライアルキーが示す試用限度量に応じて、上記トライアル指示部で受け付けたトライアルキーが示す機能の試用時期を設定することを特徴としている。
【００１８】
上記の構成により、機能およびその機能の試用限度量のデータを含んたトライアルキーが入力されると、その機能の試用時期が、そのトライアルキーが示す試用限度量に応じて設定される。
【００１９】
したがって、メーカ側としては、トライアルキーを限度ごとに替えて用意しておくだけで、利用者側の利用状況に応じて適切と思われる限度を設定できる。例えば、利用者から試用の要望を受けた場合に、利用者数が多い装置やよく使われている装置の場合には、それ相応に試用限度量を多く（期間の長期間化や回数の増加など）設定することができる。それゆえ、上記の構成による効果に加えて、メーカ側の負担を増加することなく、利用者ごとに合った適切な試用限度量を設定でき、サービスを向上させることができる。
【００２０】
また、本発明のトライアル管理システムは、上記の構成に加えて、上記制御部が、上記機能の試用期間を変更することを特徴としている。
【００２１】
上記の構成により、機能の試用期間を変更することができる。例えば、機能の試用期間中に、その試用期間を変更することができる。したがって、システムの使用環境や状況に応じて機能の試用期間を変更する手段を備えているので、機能の動作中に中断してしまったり、導入検討段階にあるにもかかわらず試用期間が過ぎてしまい動作しなくなるなどの問題に対応できるようになる。それゆえ、上記の構成による効果に加えて、正規の購入を決断するまでの試用期間として、十分な長さの期間を利用者が得ることができる。
【００２２】
また、本発明のトライアル管理システムは、上記の構成に加えて、上記制御部が、上記トライアル指示部で受け付けた指示に沿って試用時期を設定された機能について、その機能の実行中にその機能の試用の終了時期が来たことを検知すると、その機能の実行完了時点までその機能の試用時期を延長することを特徴としている。
【００２３】
上記の構成により、機能の実行中にその機能の試用の終了時期が来ると、その機能の実行完了時点までその機能の試用時期が延長される。すなわち、試用対象の機能の実行中はその機能の試用を終了させず、その機能の実行後にはその機能の試用を終了させることができる。
【００２４】
したがって、所定の機能を試用していた場合に、その処理が途中で中止されることを避けることができる。これにより、利用者がより快適にトライアルモードを利用することができるようになる。それゆえ、上記の構成による効果に加えて、利用者が、より快適にトライアルモードを利用することができる。
【００２５】
また、本発明のトライアル管理システムは、上記の構成に加えて、上記トライアル指示部が、上記利用者からの指示として、上記各機能の試用時期に対応付けられている特定キーの入力を受け付け、上記制御部が、上記トライアル指示部が受け付けた特定キーが示す試用時期データに沿って、上記機能の試用時期を設定することを特徴としている。
【００２６】
上記の構成により、上記機能の試用時期を指示する特定キーが入力されると、その入力された試用時期データに沿って、その機能の試用時期が設定される。
【００２７】
したがって、入力された特定キーに対応する試用時期に、入力された特定キーに対応する機能のみが試用可能な状態となる。それゆえ、上記の構成による効果に加えて、より簡単な操作で、利用者の要望にあった時期に、利用者の要望にあった機能を試用することが可能となる。
【００２８】
また、本発明のトライアル管理システムは、上記の構成に加えて、上記制御部が、上記トライアル指示部が受け付けた特定キーが、試用時期を延長するデータであるかどうかを判断し、上記特定キーが、試用時期を延長するデータである場合は、上記トライアル指示部にて指示された機能の試用時期を延長することを特徴としている。
【００２９】
上記の構成により、利用者の希望に応じて、試用時期を延長する旨指令するための特定キーを入力すれば、その指令内容に沿って試用時期が延長される。
【００３０】
したがって、試用期間中のその機能利用状況に応じて適切な延長期間を柔軟に設定できる。例えば、試用期間中において予想以上にその機能が利用され、その機能を実行するうえで必要な消耗品などの販売量が大きく見込めるような場合には、利用者の求めに応じてメーカから、例えば所定期間だけ試用時期を延長するための特定キーを利用者に通知すればよい。利用者はこれを入力し、延長後の試用期間中にその機能を十分実行できる。それゆえ、上記の構成による効果に加えて、試用時期についてメーカ側や利用者側の意向を容易に反映させることができる。
【００３１】
また、本発明のトライアル管理システムは、上記の構成に加えて、上記制御部が、上記トライアル指示部が受け付けた特定キーが、正しいデータであるかどうかを判断し、誤った特定キーが所定回数入力されると、上記トライアル指示部にて指示された機能の試用時期を終了させることを特徴としている。
【００３２】
上記の構成により、誤った特定キーが所定回数入力されると、指示された機能の試用時期が終了する。
【００３３】
したがって、不正な特定キーが入力された場合に、その機能の試用ができないように制御される。それゆえ、上記の構成による効果に加えて、不正行為が行われそうな場合にその機能の利用を中止して注意を促すことができる。
【００３４】
また、本発明のトライアル管理システムは、上記の構成に加えて、上記制御部が、上記トライアル指示部が受け付けた特定キーが、試用期間を終了して正規の利用状態へ移行する旨を指示する正規キーであるかどうかを判断し、上記トライアル指示部が受け付けた特定キーが正規キーであれば、上記トライアル指示部にて指示された機能について試用期間を終了して正規の利用状態へ移行させることを特徴としている。
【００３５】
上記の構成により、正規キーが入力されると、指示された機能の試用時期が終了して正規の利用状態へ移行する。
【００３６】
したがって、試用期間中であっても、ある特定のデータを入力するだけで、正規にその機能の使用権を購入して通常通りその機能を継続して利用することができるようになる。それゆえ、上記の構成による効果に加えて、より簡便に、試用から正規使用へと移行することができる。
【００３７】
また、本発明のトライアル管理システムは、上記の構成に加えて、上記制御部が、上記トライアル指示部が受け付けた機能を実行するうえで必要な環境が揃っているかどうかを判断し、上記トライアル指示部が受け付けた機能を実行するうえで必要な環境が揃っていなければ、上記トライアル指示部にて指示された機能について試用期間を終了させることを特徴としている。
【００３８】
上記の構成により、機能を実行するうえで必要な環境が揃っていなければ、上記トライアル指示部にて指示された機能について試用期間が終了する。機能を実行するうえで必要な環境が揃っていない場合としては、例えば、機能を試用するにあたり必要なシステム構成ユニット（後処理機能における後処理ユニット、スキャナ機能におけるスキャナユニットなど）が動作不能な状態（故障、取り外しなど）になるなどの場合が考えられる。
【００３９】
したがって、動作できない状況のままで試用期間だけが無条件に過ぎていって試用の再開もできないといった事態を防ぐことができる。そして、故障などの不具合要因が例えばメーカのサービスマンなどにより取り除かれた後で、試用を再開するようにすることができる。それゆえ、上記の構成による効果に加えて、正しい動作環境で試用できるようにすることにより、十分な長さの試用期間を確保して、より容易に、試用期間中にその機能を正しく理解してもらうことができる。
【００４０】
また、本発明のプログラムは、上記いずれかに記載のトライアル管理システムにおける制御部として機能させることを特徴としている。
【００４１】
また、本発明のプログラムを記録したコンピュータ読み取り可能な記録媒体は、上記のプログラムを記録したことを特徴としている。
【００４２】
なお、本発明は、複数の機能プログラムが予め記憶されており、各機能プログラムのトライアルが可能であるトライアル管理システムにおいて、各機能プログラムのトライアル動作を制御できるトライアルキーの入力が可能であり、前記トライアルキーには、当該トライアルキーが入力されることにより所定期間トライアルモードに設定される機能プログラムが対応付けられているように構成してもよい。
【００４３】
すなわち、入力されたトライアルキーに対応する機能プログラムのみをトライアル可能な状態とする。
【００４４】
上記の構成では、複数ある機能プログラムの中から、入力されたトライアルキーに対応する機能プログラムのみに関してトライアルを開始することができる。したがって、簡単な操作で利用者の要望にあった機能プログラムのトライアルが可能となる。これにより、利用者がトライアルを望む機能を、利用者の望む時期にトライアルさせることが可能になる。
【００４５】
本発明は、上記構成のトライアル管理システムにおいて、前記トライアルキーが入力されると、前記各機能プログラムごとに各機能プログラムに対応する機能が動作可能か否かを判別し、動作可能な機能プログラムのみをトライアルモードに設定するように構成してもよい。
【００４６】
すなわち、トライアルを可能とする前に、システムとして動作可能な環境にあるか確認する。
【００４７】
本発明は、１または複数の機能プログラムが予め記憶されており、各機能プログラムのトライアルが可能であるトライアル管理システムにおいて、各機能プログラムのトライアル動作を制御できるトライアルキーの入力が可能であり、前記トライアルキーが入力されると、前記各機能プログラムごとに各機能プログラムに対応する機能が動作可能か否かを判別し、動作可能な機能プログラムのみをトライアルモードに設定するように構成してもよい。
【００４８】
上記の構成では、トライアルキーの入力により、複数ある機能プログラムの中から装置として動作可能な機能プログラムのみをトライアルモードに設定する。これにより、動作不可能な機能プログラムがトライアルモードに設定され、利用できないままトライアル期間が経過してしまうことを回避することができる。また、機能が動作する状態でトライアルモードに設定されることになるので、トライアルモードによりその機能を利用者に正しく理解してもらうことができる。
【００４９】
本発明は、複数の機能プログラムが予め記憶されており、各機能プログラムのトライアルが可能であるトライアル管理システムにおいて、各機能プログラムのトライアル動作を制御できるトライアルキーの入力が可能であり、前記のトライアルキーには、当該トライアルキーが入力されることによりトライアルモードに設定される機能プログラムが対応付けられているとともに、その機能プログラムをトライアル可能な期間または回数が対応付けられているように構成してもよい。
【００５０】
すなわち、トライアルキーには、トライアルを可能とする機能プログラム、およびトライアル期間の情報が対応している。
【００５１】
上記の構成では、複数ある機能プログラムの中から、入力されたトライアルキーに対応する機能プログラムが動作可能となる。また、トライアルキーに応じて機能プログラム毎にトライアル期間を設定することができるので、簡単な操作で利用者の要望にあった機能プログラムを適切と思われる期間（例えば、利用量や利用者数に応じて設定された期間）、トライアルさせることが可能となり、より柔軟にトライアルモードを設定することができる。これにより、その機能および装置を利用する環境に応じたトライアルモードの設定が可能となる。
【００５２】
本発明は、複数の機能プログラムが予め記憶されており、各機能プログラムのトライアルが可能であるトライアル管理システムにおいて、機能プログラムのトライアル期間中に、このトライアル期間を変更する期間変更手段を設けたように構成してもよい。
【００５３】
上記の構成では、システムの使用環境や状況に応じて、予め設定されている機能プログラムのトライアル期間を変更する手段を備えているので、機能プログラムの動作中に中断してしまったり、導入検討段階にあるにもかかわらず試用期間が過ぎてしまい動作しなくなるなどの問題に対応できるようになる。
【００５４】
本発明は、上記構成のトライアル管理システムにおいて、上記期間変更手段として、ジョブの処理中にトライアル可能な期間または回数が終了した場合に、その処理中のジョブについては処理を完了させてからトライアルを終了するように構成してもよい。
【００５５】
上記の構成では、トライアルにより所定の機能を利用してジョブを処理していた場合に、そのジョブが途中で中止されることを避けることができる。これによって、利用者がより快適にトライアルモードを利用することができるようになる。
【００５６】
本発明は、上記構成のトライアル管理システムにおいて、上記期間変更手段として、トライアルモード中に、当該トライアルモードでトライアル可能な期間または回数の設定を変更するための特定キーの入力が可能であるように構成してもよい。
【００５７】
上記の構成では、トライアル期間中における機能プログラムの利用状況、利用環境の変化等に応じて、トライアル期間・回数が途中で変更することができる。これにより、その機能および装置を利用する環境の変化に応じたトライアルが可能となり、トライアルモードの設定がより柔軟になる。
【００５８】
本発明は、上記構成のトライアル管理システムにおいて、前記特定キーとして、トライアル可能な期間または回数を延ばすものを含むように構成してもよい。
【００５９】
上記の構成では、トライアルモードにおいて予想以上にその機能が利用され、メーカとして消耗品などの利用（販売）が見込めるような場合に、トライアル期間を延長することができる。これにより、トライアルモードの設定がより柔軟になる。
【００６０】
本発明は、上記構成のトライアル管理システムにおいて、偽りの電子キーが所定回数入力されると、トライアル可能な残りの期間または回数をクリア「０」とするように構成してもよい。
【００６１】
上記の構成では、不正行為が行われそうな場合に、その機能の利用を中止して注意を促すことができる。
【００６２】
本発明は、上記構成のトライアル管理システムにおいて、前記特定キーとして、トライアル期間を終了するとともに、正規の利用状態へ移行するためのもの（正規キー）を含むように構成してもよい。
【００６３】
上記の構成では、トライアル期間中であっても正規の番号を購入し入力することにより、通常通りその機能プログラムを継続して利用することができる。
【００６４】
本発明は、上記構成のトライアル管理システムにおいて、トライアルモード処理するにあたり必要なシステム構成ユニットが動作不能な状態（故障、取り外しなど）になると、そのトライアルを中断するように構成してもよい。
【００６５】
上記の構成では、正しい動作環境でトライアルを行うようにすることにより、トライアル中にその機能プログラムを正しく理解してもらうことができる。
【００６６】
【発明の実施の形態】
本発明の実施の一形態について図１ないし図１２に基づいて説明すれば、以下の通りである。
【００６７】
本発明の実施の一形態について図に基づいて説明する。本発明に係るトライアル管理システムは、図１に示すように、例えば画像処理装置１１に設けられたＣＰＵ２４および記憶部２５によって構成される。
【００６８】
前記画像形成装置１１の構成について説明する。前記画像処理装置１１は、概略的に、利用者の入力指示を受け付けるキー群２３ｂや、利用者に対して処理状況などの各種情報を案内表示するための表示パネル２３ａなどを設けた操作パネル（トライアル指示部）２３を備えている。そしてさらに、該画像処理装置１１における全動作を制御する制御部２２を備えている。
【００６９】
ＣＰＵ（Central Processing Unit ）２４には、前記操作パネル２３に加えて、各種データやプログラムなどの情報が記憶された前記記憶部２５、通信ボード２６、ＩＣＵ（Image Control Unit）２７およびスキャナ３２などが接続されている。また、前記ＩＣＵ２７には、比較的容量が大きいデータまでの管理が可能な記憶装置として、ハードディスク（ＨＤ）２８、２９と、画像情報を印刷出力するプリンタ３３などが接続されている。ＣＰＵ２４、ＩＣＵ２７、通信ボード２６、ハードディスク２８およびハードディスク２９によって上記制御部２２が構成されている。
【００７０】
前記ＣＰＵ２４は、前記操作パネル２３への利用者の入力指示に従って各部を制御して、画像処理や通信を実行させるものである。たとえば、所望の原稿画像をスキャナ３２に読み取らせ、その読み取られた原稿画像を画像情報として、記憶部２５の一部やハードディスク２８、２９などの一部にページ単位で一時的に記憶させる。そして、この一時的に記憶されたページ単位の画像情報をプリンタ３３から出力したり、通信ボード２６を介して送信先として指示された外部機器へと送信したりすることもできる。また、ＣＰＵ２４は、前記利用者の指示に基づいて通信ボード２６を制御することで、インターネットやイントラネットなどの通信ネットワークにおける通信処理を行うこともできる。
【００７１】
前記ＩＣＵ２７は、画像処理ユニットであり、前記スキャナ３２から入力された画像情報を１つの原稿画像として、階調補正、変倍処理、濃度変換などの所定の画像処理を行う。そして、前記プリンタ３３に各種画像処理が施された画像情報が転送され、画像として再現されるように処理される。前記通信ボード２６は、デジタル複合機として外部機器との通信に利用される通信インタフェイスである。
【００７２】
前記記憶部２５には、該画像処理装置１１全体の制御にかかわる各種データの記憶領域Ｄ、各種の制御プログラムの記憶領域Ａ０，Ａ１，…，ＡＮ、および前記制御プログラムの読み出しを管理するための管理プログラムの記憶領域Ｂ２などが形成されている。なお、各種データなどの情報は、ハードディスク２８、２９に記憶させることも可能である。
【００７３】
図２は、前記制御プログラムの構成を説明するための図である。前記制御プログラムは、基本的な動作を行うための第１のプログラムであるメインプログラムＰ１０と、付加的な動作を行うための第２のプログラムであるサブプログラム（機能プログラム）Ｐ２０とに分類され、サブルーチンなどで構成されるサブプログラムＰ２０は、メインプログラムＰ１０からアクセス可能となっており、これらのサブプログラムＰ２０およびメインプログラムＰ１０は１つのプログラムを構成している。
【００７４】
前記メインプログラムＰ１０は、前記複写機、プリンタおよびファクシミリ装置としてのプログラムである。すなわち、複写機動作時およびファクシミリ送信時に使用されるスキャナプログラムＰ１１と、複写機動作時、ファクシミリ受信時およびプリンタ動作時に使用されるプリントプログラムＰ１２と、ファクシミリ送受信時に使用されるファクスプログラムＰ１３と、プリンタ動作時に使用されるプリンタプログラムＰ１４とを備えて構成されている。
【００７５】
前記サブプログラムＰ２０には、前記メインプログラムＰ１０の一部と協動することによって付加動作を実現するサブプログラム（Ｐ２１、Ｐ２２）と、前記メインプログラムＰ１０からアクセスされることによって付加動作を実現するサブプログラム（Ｐ２３）との２種類の形態がある。
【００７６】
前記メインプログラムＰ１０の一部と協動することによって付加動作を実現するサブプログラムの例としては、たとえば前記スキャナプログラムＰ１１と協動し、スキャナ３２で読み込まれた画像データをファイル情報として通信ネットワークを介して特定の送信先へ送信し、該画像処理装置１１を複数のパーソナルコンピュータのスキャナとして共用可能にするネットワークプログラムＰ２１がある。また、前記読み込み画像を電子メールの添付ファイルとして送信する電子メールプログラムＰ２２も同様の例である。
【００７７】
一方、前記メインプログラムＰ１０からアクセスされることによって付加動作を実現するサブプログラムの例としては、前記プリントプログラムＰ１２からアクセスされ、デジタル複合機としてプリント処理のために取り扱ったハードディスク装置２８、２９上の画像情報を所定のタイミングで消去するセキュリティプログラムＰ２３がある。
【００７８】
前記のようなネットワークプログラムＰ２１や電子メールプログラムＰ２２は、該画像処理装置１１をパーソナルコンピュータのネットワークに接続していない利用者には不要であり、前記ＣＰＵ２４が前記管理プログラムを参照することで、通常（出荷時には）、メインプログラムＰ１０が読み出されるように、そしてこれらのサブプログラムＰ２０へはアクセスされないように管理されている。また、前記サブプログラムＰ２０は、ネットワーク接続のシーケンス等のプログラムであり、記憶部２５において、前記データの記憶領域ＤやメインプログラムＰ１０の記憶領域Ａ０に比べて、該サブプログラムＰ２０の記憶領域Ａ１〜ＡＮは僅かな領域であり、メモリなどで実現される記憶部２５に大幅なコストアップを招来するものではない。
【００７９】
上述のように構成される画像処理装置１１およびトライアル管理システムにおいて、以下に、前記サブプログラムＰ２０へのアクセスを可能にする機能拡張作業の一形態を説明する。なお、以下に説明するシステムは、デジタル複合機を例にとって説明するが、所定の制御プログラムに従って動作する、たとえば医療用の電子機器などにも応用は可能である。
【００８０】
ここで、前記サブプログラムＰ２０によって性能面、機能面でシステムアップ可能な機能は、該画像処理装置１１の取り扱い説明書、操作パネル２３の表示部に表示される操作案内画面、さらには販売パンフレットなどによって利用者に予め案内され、その内容を確認できる環境にある。
【００８１】
そして、この案内情報を確認した利用者は、所望とする機能があると、システムアップの希望をサービスセンター等に連絡し、対応するサブプログラムＰ２０の購入またはトライアル（試用）の開始を要求することができる。この要求に対してサービスセンター等では、要求した利用者が利用している画像形成装置１１の装置構成や、その利用者による装置の利用形態等（利用者数等）に応じて所定の電子キーを発行し、所定プログラムへのアクセス禁止の解除（正規利用の開始）またはトライアル開始を可能とすることができる。また、利用者は、後述するようにその装置構成において利用可能なプログラムを一括してトライアル開始することもできる。
【００８２】
ここで、電子キーとは、アクセスが禁止されているプログラムへのアクセス禁止を解除する暗号であり、ここではテンキーにより入力される数字の組み合わせである。この電子キーには、利用者が正式に購入した場合に発行される正規のキー（以下では「正規キー」と称する。）、所定期間の試用であるトライアルのためのキー、およびトライアル期間（試用期間）の変更等を指示する特定のキー（以下では「特定キー」と称する。）を含む。この電子キーは、各画像形成装置１１ごとに設定された固有の値であり、管理プログラムによって予め設定されている。
【００８３】
また、以下において、トライアルキーとは、トライアルの開始を指示するために入力するものであり、前記電子キーによるものと、前記操作パネル２３における表示部等に表示されるタッチパネル式のボタン（トライアル開始ボタン）によるものとを含む。
【００８４】
ここでは、トライアルを開始しようとする利用者が行う処理について図３から図８に基づいて説明する。図３は、例えば前記操作パネル２３より、トライアルの開始を指示するモードへ遷移した場合の前記操作パネル２３の状態を示している。
【００８５】
この状態では、前記記憶部２５に記憶されているサブプログラムＰ２０により追加できる機能を一覧表示している。この状態で、「トライアル開始」と表示されたボタンを押すと、図５のシステム確認画面に遷移する。この画面では、現在のシステムで使用可能な付加機能を確認している。図３は「トライアル開始」ボタンのみによるトライアルキーの入力となっているが、トライアルキーの入力画面としては、電子キーによる入力のみの入力画面（図４（ａ））と、電子キーによる入力、またはトライアル開始ボタン（図４（ｂ）において「トライアル開始」と表示されたボタン）による入力の何れかが選択可能な入力画面が考えられる。図４に示す入力画面において、電子キーを入力することで、機能プログラムへのアクセス禁止を解除して正規利用へ移行すること（機能解除）も可能であるが、ここでは、正規利用へ移行するための電子キーを入力可能な画面において、別の特定の電子キーを入力することによって、トライアルモード（試用状態）の開始や終了、延長などといった、試用時期の指示もできるようになっている。
【００８６】
ここで、トライアル開始ボタンからなるトライアルキーが入力された場合には、後述するように、前記ＣＰＵ２４により本画像処理装置１１の装置構成が認識され、その認識結果に基づいて本画像処理装置１１において各サブプログラムＰ２０が動作可能か否かが判別される。そして、この判別結果に基づいて、前記管理プログラムにより、前記記憶部２５に記憶されているサブプログラムＰ２０のうち、本画像処理装置１１において動作可能なものへのアクセスが許可され、対応する機能に対するトライアルが開始される。このトライアル可能な期間や利用回数は、管理プログラムによりプログラムごとに個別に設定されており、その限界までトライアル状態が保たれる。
【００８７】
一方、電子キーからなるトライアルキーは、数字の組み合わせにより多数のパターンが存在する。そして、各パターンにはトライアルを開始するプログラムが、前記管理プログラムによって対応付けられている。また、各パターンには、トライアル可能な期間や利用回数も前記管理プログラムに応じて対応付けられている。そして、所定のパターンが入力されると、そのパターンに対応するプログラムが所定期間（所定利用回数）トライアル可能となる。
【００８８】
上記何れかのトライアルキーが入力されると図５に示す表示となる。この状態では、ＣＰＵ２４が画像処理装置１１の装置構成の認識を行っている。この認識を行うことにより、ＣＰＵ２４は、画像形成装置１１の装置構成から実際にトライアルが可能な機能を確認し、図６に示すようにその結果を表示する。ここではすべてのサブプログラムＰ２０に対応する機能が実際にトライアル可能である場合を示している。または、図７に示すように表示してもよい。この表示では、トライアルが可能な機能とともに、各機能についてのトライアル可能な期間が表示される。この期間は前記管理プログラムにより設定されているものであり、さらに、電子キーによるトライアルキーの入力の場合は、入力された電子キーに応じて異なる期間が設定されるようになっていてもよい。なお、期間にかぎらず利用回数によりトライアルが制限されていてもよい。
【００８９】
利用者が、この表示を確認して「ＯＫ」ボタンを押すと、トライアルが開始される。
【００９０】
なお、トライアル期間中にさらに前記特定キーとしての電子キーが入力されることによりトライアル条件の変更を行うこともできる。例えば図８に示すように、機能解除用の電子キーの入力を促す画面（図８（ａ））において、特定キー（例えば「０００００００」）を入力することにより、トライアルを終了することができる（図８（ｂ））。また、他の特定キーとしては、トライアル期間を延長するためのものがある。さらに、利用者が購入手続きを行うことによりサービスセンター等から正規キーを取得し、機能解除用の電子キーの入力を促す画面（図８（ａ））においてこのような正しい電子キーを入力することにより、トライアルモードから正規の利用モードに移行することもできる（図８（ｃ））。これらの特定キーおよび正規キーも、そのキーが示す機能（トライアル期間の終了、延長等）との対応関係が管理プログラムによって設定されている。なお、トライアル期間中に入力される正規キーは特定キーの一種と考えてもよい。
【００９１】
次に、本トライアル管理システムにおける処理の流れを図９から図１２のフローチャートに基づいて説明する。なお、以下に説明する処理は、前記管理プログラムによって実行されるものである。
【００９２】
図９は、前記操作パネル２３から電子キーが入力された場合の処理の流れを示すフローチャートである。電子キーが入力されると（ステップＳ１）、その電子キーが、サブプログラムＰ２０が製品として購入されたときに発行される正規キーであるか、トライアルキーであるか、トライアル期間中に入力されるべき特定キーであるかが順次判別される（ステップＳ２〜Ｓ４）。ここで、正規キーであった場合は、その正規キーに対応するプログラムへのアクセス禁止を解除する（ステップＳ５）。トライアルキーであった場合は、そのトライアルキーに対応するトライアルを開始するために、図１０のＳ１３からの処理を行う（ステップＳ６）。特定キーであった場合は、トライアル期間中であるか否かを判別し（ステップＳ７）、トライアル期間を変更するために、図１１に示す処理を行う（ステップＳ８）。ステップＳ５，Ｓ６，Ｓ８を終了したとき、またはステップＳ７においてトライアル期間中でないと判別されたときは、電子キーの入力画面を終了し（ステップＳ９）、一連の処理を終える。
【００９３】
図１０は、トライアル開始処理の流れを示すフローチャートである。トライアルは、上述のようにトライアルキーとしての電子キーが入力された場合と、トライアルキーとしてのトライアル開始ボタンが押された場合に開始される。前者の場合は、図９のステップＳ３から図１０のＳ１３に処理が移行する。後者の場合は、トライアル設定画面（図４（ｂ））を表示し（ステップＳ１１）、トライアル開始ボタンが押されるのを待つ（ステップＳ１２）。
【００９４】
トライアルキーとしての電子キーまたはトライアル開始ボタンが利用者により入力されると、ＣＰＵ２４は、入力されたトライアルキーに応じてトライアルを開始する機能（プログラム）を特定する（ステップＳ１３）。ここで、トライアルキーとしての電子キーが入力された場合には、入力された電子キーに対応付けられた機能が特定される。また、トライアルキーとしてのトライアル開始ボタンが入力された場合には、前記サブプログラムＰ２０のすべてが特定される。
【００９５】
次に、画像処理装置１１の装置構成の認識を行う（ステップＳ１４）。そして、ステップＳ１３にて特定された機能がすべてシステムとして動作可能であるか否かを、ステップＳ１４における認識結果に基づいて判断する（ステップＳ１５）。ステップＳ１５において特定された機能がすべて動作可能であると判断されると、管理プログラムに基づいてトライアル可能な期間が設定される。トライアルキーとして電子キーが入力されている場合には、上述したように入力された電子キーに応じてもトライアル可能な期間が設定される（ステップＳ１６）。一方、ステップＳ１５において特定された機能の中に、動作不能のものが存在した場合には、その動作不能のものを表示する（ステップＳ１７）。そして、他に動作可能な機能が存在するか否かを判別し（ステップＳ１８）、存在すればその動作可能な機能に対してステップＳ１６の処理を行い、存在しなければそのまま終了する。機能が動作不能な場合としては、その機能を利用するのに必要な装置の構成要素が取り付けられたことがない場合や、一度取り付けられてその後取り外された場合や、故障している場合等がある。
【００９６】
図１１は、トライアル期間中にトライアル期間の変更を行う際の処理を示すフローチャートである。トライアルキーとしての電子キーの入力画面が表示された状態（ステップＳ２１）において、電子キーが入力されると、ステップＳ２２〜Ｓ２５において入力された電子キーを判別する。入力される電子キーとしては、特定キー、正規キー、およびこれらのキー以外の不正な入力が考えられる。また、特定キーとしては、例えばトライアル期間の終了を示すキー（特定キーＡとする）や、トライアル期間の延長を示すキー（特定キーＢとする）等がある。
【００９７】
特定キーＡが入力された場合は、その時点でトライアル期間を終了し（ステップＳ２６）、トライアル期間が終了したことを示すフラグ（トライアル期間終了フラグ）をセットする（ステップＳ２７）。特定キーＢが入力された場合は、入力されたキーに対応して所定の期間、トライアル期間が延長される（ステップＳ２８）。
【００９８】
正規キーが入力されると、トライアルではなく正規の使用として対応する機能へのアクセス禁止を解除し（ステップＳ２９）、トライアルモードを終了する（ステップＳ３０）。
【００９９】
管理プログラムに設定されていない電子キーが入力された場合は、利用者が不正な方法により機能へのアクセス禁止を解除しようとしている可能性がある。そこで、このような入力が所定回数行われたと判断された場合には、トライアルモードを解除し（ステップＳ３１）、トライアルが終了したことを示すフラグ（トライアル期間終了フラグ）をセットする（ステップＳ３２）ことによりその機能が使用できないようにする。
【０１００】
これらの処理が終了すると、トライアルキーの入力画面を終了し（ステップＳ３３）、一連の処理を終える。
【０１０１】
図１２は、サブプログラムＰ２０に基づく機能が使用される際の処理の流れを示すフローチャートである。利用者がサブプログラムＰ２０のいずれかに対応する機能をトライアルモードとして利用するための指示操作を行うと、まず、制御部２２が、画像処理装置１１の装置構成が該当する機能をシステムとして動作可能な状態か否かを判別する（ステップＳ４１）。ここで、動作可能でない場合としては、すでに述べたように、その機能を利用するのに必要な装置の構成要素が取り付けられたことがない場合や、一度取り付けられてその後取り外された場合や、故障している場合等がある。このような場合は、その旨を表示して（ステップＳ４２）、トライアル期間が終了したことを示すフラグ（トライアル期間終了フラグ）をセットし（ステップＳ４８）、トライアル期間が終了した旨を表示してから（ステップＳ４９）、処理を終える。これにより、装置構成上利用できない機能に対してトライアルモードを設定することを防止することができる。なお、必要な装置の構成要素が取り付けられたり、故障箇所が修理されたりして、その機能が利用可能となった際には、サービスマン等によりトライアル期間終了フラグがリセットされ、再度トライアルを行うことができるようにする。
【０１０２】
ステップＳ４１において、該当する機能がシステムとして動作可能な状態である場合には、制御部２２が、例えば、試用許可される所定期間と画像処理装置１１に内蔵の時計が示す現在の日付とを比較することや、トライアルの利用回数が所定利用回数に達したか否かを調べること等によって、現在がトライアル期間中であるかを確認し、それによって、トライアルモードとして動作可能であるのか否かを判別する（ステップＳ４３）。トライアルモードとして動作可能である場合には、該当する機能を実行し（ステップＳ４４）、利用回数（コピー枚数等）をカウントアップする（ステップＳ４５）。なお、この利用回数は、その利用者の利用頻度等を表す顧客データとして用いることができ、その後のサービスの提供等に役立てることができる。そして、一連のジョブ（処理）が終了したか否かを判別し（ステップＳ４６）、終了していない場合はステップＳ４４からの処理を繰り返す。一連のジョブが終了すると、ステップＳ４３と同様にして、トライアル期間が終了したか否かを判別する（ステップＳ４７）。トライアル期間が終了していない場合にはそのまま処理を終えるが、トライアル期間が終了している場合には、トライアル期間が終了したことを示すフラグ（トライアル期間終了フラグ）をセットし（ステップＳ４８）、トライアル期間が終了した旨を表示してから（ステップＳ４９）、処理を終える。このトライアル期間終了フラグは、過去に一度その機能についてトライアルを行ったことがあるか否かを示すものである。
【０１０３】
なお、上記のようにジョブの終了後にトライアル期間の終了を判別することにより、例えばトライアル期間終了間際に大量のジョブを開始した場合などにおいて、ジョブの途中でその機能が利用できなくなってしまうといった不具合を回避することができる。なお、ジョブ終了の確認の前にトライアル期間の終了の確認を行うようにし、一連のジョブを実行している際には、トライアル期間の終了が確認されても、そのジョブが終了するまでは実際にはトライアル期間を終了しないようにしてもよい。
【０１０４】
ステップＳ４３において、現在がトライアル期間中ではないと判別された場合には、トライアル期間終了フラグに基づいて、トライアル期間が終了しているか否か、すなわち、過去に一度その機能についてトライアルを行っているか否かを判別する（ステップＳ５０）。そして、ここでトライアル期間がすでに終了している場合、つまり、過去に一度その機能についてトライアルを行っている場合には、その旨を表示して利用者にそのことを伝え（ステップＳ５１）、この処理を終了する。これは、ステップＳ４３において現在がトライアル期間中でない場合は、トライアルモードへと移行（トライアル期間に入る）したうえでトライアルモードとしてその機能の処理を実行するのであるが、過去に一度その機能についてトライアルを行っているような場合には、何度も、すなわち２回以上同じ機能についてトライアルを行うことを禁止するためである。このようにして、同じ機能についてトライアルが繰り返し行われるのを防止することができる。
【０１０５】
一方、ステップＳ５０においてトライアル期間がまだ終了していない場合、つまり、まだその機能についてトライアルを行ったことがない場合には、初めてのトライアルとして、該当する機能についてトライアルモードへと移行し、実行する（ステップＳ５２）。その機能のジョブが終了すれば（ステップＳ５３）、この処理を終了する。
【０１０６】
【発明の効果】
以上のように、本発明のトライアル管理システムは、試用対象となる少なくとも一つの機能を記憶している記憶部と、上記機能の試用時期について利用者からの指示を受け付けるトライアル指示部と、上記記憶部に記憶されている機能の試用時期を、上記トライアル指示部で受け付けた指示に沿って設定する制御部とを備えた構成である。
【０１０７】
また、本発明のプログラムは、コンピュータを上記構成のトライアル管理システムにおける制御部として機能させる構成である。
【０１０８】
また、本発明のプログラムを記録したコンピュータ読み取り可能な記録媒体は、上記構成のプログラムを記録した構成である。
【０１０９】
これにより、機能を拡張しようとしたときに、作業が簡単で、また機器の構成を理解した専門的な技術が不要となる。また、交換作業に関する専門的な技術が不要となる。それゆえ、機能拡張した新たなシステムの試用を、利用者に対してより容易に、かつ、より柔軟に提供することができるという効果を奏する。
【０１１０】
また、本発明のトライアル管理システムは、上記の構成に加えて、上記トライアル指示部が、上記利用者からの指示として、上記各機能に対応付けられているトライアルキーの入力を受け付ける構成である。
【０１１１】
これにより、入力されたトライアルキーに対応する機能プログラムのみをトライアル可能な状態とする。それゆえ、上記の構成による効果に加えて、より簡単な操作で、利用者の要望にあった機能を試用することが可能となるという効果を奏する。
【０１１２】
また、本発明のトライアル管理システムは、上記の構成に加えて、上記制御部が、上記トライアル指示部で受け付けた指示が示す上記機能が動作可能か否かを判別し、動作可能な機能のみをトライアルモードに設定する構成である。
【０１１３】
これにより、動作不可能な機能がトライアルモードに設定され、利用できないままトライアル期間が経過してしまうことを回避することができる。それゆえ、上記の構成による効果に加えて、動作可能な機能を確実に試用に供することができるという効果を奏する。
【０１１４】
また、本発明のトライアル管理システムは、上記の構成に加えて、上記トライアルキーが、上記機能およびその機能の試用限度量のデータを含んでおり、上記トライアルキーが上記トライアル指示部に入力されると、上記制御部が、上記トライアル指示部で受け付けたトライアルキーが示す試用限度量に応じて、上記トライアル指示部で受け付けたトライアルキーが示す機能の試用時期を設定する構成である。
【０１１５】
これにより、メーカ側としては、トライアルキーを限度ごとに替えて用意しておくだけで、利用者側の利用状況に応じて適切と思われる限度を設定できる。それゆえ、上記の構成による効果に加えて、メーカ側の負担を増加することなく、利用者ごとに合った適切な試用限度量を設定でき、サービスを向上させることができるという効果を奏する。
【０１１６】
また、本発明のトライアル管理システムは、上記の構成に加えて、上記制御部が、上記機能の試用期間を変更する構成である。
【０１１７】
これにより、システムの使用環境や状況に応じて機能の試用期間を変更する手段を備えているので、機能の動作中に中断してしまったり、導入検討段階にあるにもかかわらず試用期間が過ぎてしまい動作しなくなるなどの問題に対応できるようになる。それゆえ、上記の構成による効果に加えて、正規の購入を決断するまでの試用期間として、十分な長さの期間を利用者が得ることができるという効果を奏する。
【０１１８】
また、本発明のトライアル管理システムは、上記の構成に加えて、上記制御部が、上記トライアル指示部で受け付けた指示に沿って試用時期を設定された機能について、その機能の実行中にその機能の試用の終了時期が来たことを検知すると、その機能の実行完了時点までその機能の試用時期を延長する構成である。
【０１１９】
これにより、所定の機能を試用していた場合に、その処理が途中で中止されることを避けることができる。これにより、利用者がより快適にトライアルモードを利用することができるようになる。それゆえ、上記の構成による効果に加えて、利用者が、より快適にトライアルモードを利用することができるという効果を奏する。
【０１２０】
また、本発明のトライアル管理システムは、上記の構成に加えて、上記トライアル指示部が、上記利用者からの指示として、上記各機能の試用時期に対応付けられている特定キーの入力を受け付け、上記制御部が、上記トライアル指示部が受け付けた特定キーが示す試用時期データに沿って、上記機能の試用時期を設定する構成である。
【０１２１】
これにより、入力された特定キーに対応する試用時期に、入力された特定キーに対応する機能のみが試用可能な状態となる。それゆえ、上記の構成による効果に加えて、より簡単な操作で、利用者の要望にあった時期に、利用者の要望にあった機能を試用することが可能となるという効果を奏する。
【０１２２】
また、本発明のトライアル管理システムは、上記の構成に加えて、上記制御部が、上記トライアル指示部が受け付けた特定キーが、試用時期を延長するデータであるかどうかを判断し、上記特定キーが、試用時期を延長するデータである場合は、上記トライアル指示部にて指示された機能の試用時期を延長する構成である。
【０１２３】
これにより、試用期間中のその機能利用状況に応じて適切な延長期間を柔軟に設定できる。それゆえ、上記の構成による効果に加えて、試用時期についてメーカ側や利用者側の意向を容易に反映させることができるという効果を奏する。
【０１２４】
また、本発明のトライアル管理システムは、上記の構成に加えて、上記制御部が、上記トライアル指示部が受け付けた特定キーが、正しいデータであるかどうかを判断し、誤った特定キーが所定回数入力されると、上記トライアル指示部にて指示された機能の試用時期を終了させる構成である。
【０１２５】
これにより、不正な特定キーが入力された場合に、その機能の試用ができないように制御される。それゆえ、上記の構成による効果に加えて、不正行為が行われそうな場合にその機能の利用を中止して注意を促すことができるという効果を奏する。
【０１２６】
また、本発明のトライアル管理システムは、上記の構成に加えて、上記制御部が、上記トライアル指示部が受け付けた特定キーが、試用期間を終了して正規の利用状態へ移行する旨を指示する正規キーであるかどうかを判断し、上記トライアル指示部が受け付けた特定キーが正規キーであれば、上記トライアル指示部にて指示された機能について試用期間を終了して正規の利用状態へ移行させる構成である。
【０１２７】
これにより、試用期間中であっても、ある特定のデータを入力するだけで、正規にその機能の使用権を購入して通常通りその機能を継続して利用することができるようになる。それゆえ、上記の構成による効果に加えて、より簡便に、試用から正規使用へと移行することができるという効果を奏する。
【０１２８】
また、本発明のトライアル管理システムは、上記の構成に加えて、上記制御部が、上記トライアル指示部が受け付けた機能を実行するうえで必要な環境が揃っているかどうかを判断し、上記トライアル指示部が受け付けた機能を実行するうえで必要な環境が揃っていなければ、上記トライアル指示部にて指示された機能について試用期間を終了させる構成である。
【０１２９】
これにより、動作できない状況のままで試用期間だけが無条件に過ぎていって試用の再開もできないといった事態を防ぐことができる。それゆえ、上記の構成による効果に加えて、正しい動作環境で試用できるようにすることにより、十分な長さの試用期間を確保して、より容易に、試用期間中にその機能を正しく理解してもらうことができるという効果を奏する。
【図面の簡単な説明】
【図１】本発明に係るトライアル管理システムが設けられた画像処理装置の一構成例を示すブロック図である。
【図２】制御プログラムの構成例を示す説明図である。
【図３】トライアル開始画面の例を示す説明図である。
【図４】（ａ）および（ｂ）は、トライアルキー入力画面の例を示すものであり、（ａ）は、電子キーによる入力画面の例を示す説明図であり、（ｂ）は、電子キーまたはトライアル開始ボタンによる入力画面の例を示す説明図である。
【図５】トライアルキー確認画面の例を示す説明図である。
【図６】トライアル機能確認画面の例を示す説明図である。
【図７】トライアル期間確認画面の例を示す説明図である。
【図８】（ａ）ないし（ｃ）は、トライアル期間中に電子キーが入力された場合を示すものであり、（ａ）は、機能解除用の電子キー入力画面の例を示す説明図であり、（ｂ）は、トライアルモードの終了画面の例を示す説明図であり、（ｃ）は、電子キー解除画面の例を示す説明図である。
【図９】操作パネルから電子キーが入力された場合の処理の流れを示すフローチャートである。
【図１０】トライアル開始処理の流れを示すフローチャートである。
【図１１】トライアル期間中にトライアル期間の変更を行う際の処理を示すフローチャートである。
【図１２】サブプログラムに基づく機能が使用される際の処理の流れを示すフローチャートである。
【符号の説明】
１１    画像処理装置
２２    制御部
２３    操作パネル（トライアル指示部）
２３ａ  表示パネル
２３ｂ  キー群
２４    ＣＰＵ
２５    記憶部
２６    通信ボード
２７    ＩＣＵ
２８、２９  ハードディスク
３２    スキャナ
３３    プリンタ
Ｐ１０  メインプログラム
Ｐ１１  スキャナプログラム
Ｐ１２  プリントプログラム
Ｐ１３  ファクスプログラム
Ｐ１４  プリンタプログラム
Ｐ２０  サブプログラム
Ｐ２１  ネットワークプログラム
Ｐ２２  電子メールプログラム
Ｐ２３  セキュリティプログラム
【図１】
0003889234.tif 000002
【図２】
0003889234.tif 000003
【図３】
0003889234.tif 000004
【図４】
0003889234.tif 000005
【図５】
0003889234.tif 000006
【図６】
0003889234.tif 000007
【図７】
0003889234.tif 000008
【図８】
0003889234.tif 000009
【図９】
0003889234.tif 000010
【図１０】
0003889234.tif 000011
【図１１】
0003889234.tif 000012
【図１２】
0003889234.tif 000013